(57)【要約】【課題】簡易な構造で、基材を紐状部材で容易且つ確実に結束可能な結束具を提供する。【解決手段】結束具１は、紐状部材４０を挿通するための一対の貫通孔２５を有する基台部材２０と、基台部材２０と上下に対向した保持部材１０と、基台部材２０と保持部材１０とを互いの中央で接続係止する係止部材３０とを備えている。基台部材２０と保持部材１０との側端部近傍は、外方に向かって次第に互いの離間隙間が拡大するように形成されている。保持部材１０の底面部は、中央が凹設された凹部１５を有する。【選択図】図４
2018039520.tif 000002
【特許請求の範囲】
【請求項１】
基材を紐状部材で結束するための結束具であって、
前記紐状部材を挿通するための一対の貫通孔を有する基台部材と、
前記基台部材と上下に対向した保持部材と、
前記基台部材と前記保持部材とを互いの中央で接続係止する係止部材と、
を備え、
前記基台部材と前記保持部材との側端部近傍は、外方に向かって次第に互いの離間隙間が拡大するように形成され、
前記基台部材及び／又は前記保持部材の対向する側に、前記紐状部材が押入される凹部が形成され、
前記基台部材は、前記保持部材側からの平面視で、中央から前記貫通孔側に向かって次第に窄まるように形成されたことを特徴とする結束具。
【請求項２】
前記保持部材の底面部は、中央が凹設された凹部を有し、外方に向かって反り上がり形成された外周突設部を備えた請求項１に記載の結束具。
【請求項３】
前記基台部材は、平板直方体形状であり、長手方向両端部近傍に略垂直方向に貫通した１対の前記貫通孔を備えた請求項１又は２に記載の結束具。
【請求項４】
前記基台部材上面は、長手方向両側部に、中央面より高い位置に保持部材設置面が形成され、該保持部材設置面上に前記外周突設部の底面が当接可能である請求項２又は３に記載の結束具。
【請求項５】
前記保持部材側からの平面視で、前記基台部材が前記保持部材より外方にはみ出した、拡張部位を有する請求項１乃至４のうちのいずれか１項に記載の結束具。
【請求項６】
基材を紐状部材で結束するための結束具であって、
長手方向両端部近傍に略垂直方向に貫通した紐状部材を挿通するための１対の貫通孔を備えた平板直方体形状の基台部材と、
前記基台部材と上下に対向し、中央が凹設された凹部を有し、外方に向かって反り上がり形成された外周突設部を備えた保持部材と、
前記基台部材と前記保持部材とを互いの中央で接続係止する係止部材と、
を備え、
前記基台部材と前記保持部材との側端部近傍は、外方に向かって次第に互いの離間隙間が拡大するように形成され、
前記基台部材は、前記保持部材側からの平面視で、中央から前記貫通孔側に向かって次第に窄まるように形成され、
前記基台部材上面は、長手方向両側部に中央面より高い位置に保持部材設置面が形成され、該保持部材設置面上に前記外周突設部の底面が当接可能であり、
前記保持部材側からの平面視で、前記基台部材が前記保持部材より外方にはみ出した、拡張部位を有することを特徴とする結束具。 
【発明の詳細な説明】
【技術分野】
【０００１】
本発明は、結束具に関する。更に詳しくは、簡易な構造で、基材を紐状部材で、容易且つ確実に結束可能な結束具に関する。
【背景技術】
【０００２】
種々の基材を紐状部材で結束するには、通常、両手の指先によって紐状部材の端部同士を結ぶ作業を行う。結束に際しては、手間がかかることに加え、一旦結束したものが解けやすかったり、また解くのに手間取ることが多い。
例えば、テントを仮設する場合においては、柱、シートなどが不安定な状況で、シートに取り付けた紐状部材を地面に打ち込んだペグに固定する作業が必要となり、紐状部材の結束作業に手間取ることになる。
【０００３】
ここで、紐状部材を結ぶ必要がない結束具が提案されている（例えば、特許文献１参照。）。
この特許文献１に記載の結束具は、一本の紐状部材と二以上の板状保持部材と一以上のスペーサー部材とから成り、板状保持部材には挿通用スリット部と保持スリット部が設けられている。そして、挿通用スリット部は中心方向に行くにしたがって狭い切れ込みとなっているため、切れ込みの先端まで挿入した紐状部材を容易に抜けないようにしている。また、保持スリット部は、前記紐状部材の牽引方向を一方向に制限するとともに、先端に向かって牽引方向へ突出するように形成されているため、牽引状態が保持される構造となっている。
このように構成することで、紐状部材を結ぶ必要がなくなり、結束作業を効率よく行うことができる。
【先行技術文献】
【特許文献】
【０００４】
【特許文献１】特開２０１４−１１８１７８号
【発明の概要】
【発明が解決しようとする課題】
【０００５】
しかし、特許文献１に記載の結束具は、保持スリット部で紐状部材を摩擦固定するため、被結束物が農作物の茎などの、さほど強固でない結束には適しているが、強固に基材を結束する必要のある場合には適していない。
【０００６】
本発明は、前記の問題を解決するものであり、簡易な構造で、基材を紐状部材で、容易且つ確実に結束可能な結束具を提供することを目的とする。
【課題を解決するための手段】
【０００７】
本発明は以下の通りである。
１．基材を紐状部材で結束するための結束具であって、
前記紐状部材を挿通するための一対の貫通孔を有する基台部材と、
前記基台部材と上下に対向した保持部材と、
前記基台部材と前記保持部材とを互いの中央で接続係止する係止部材と、
を備え、
前記基台部材と前記保持部材との側端部近傍は、外方に向かって次第に互いの離間隙間が拡大するように形成され、
前記基台部材及び／又は前記保持部材の対向する側に、前記紐状部材が押入される凹部が形成され、
前記基台部材は、前記保持部材側からの平面視で、中央から前記貫通孔側に向かって次第に窄まるように形成されたことを特徴とする結束具。
２．前記保持部材の底面部は、中央が凹設された凹部を有し、外方に向かって反り上がり形成された外周突設部を備えた１．に記載の結束具。
３．前記基台部材は、平板直方体形状であり、長手方向両端部近傍に略垂直方向に貫通した１対の前記貫通孔を備えた１．又は２．に記載の結束具。
４．前記基台部材上面は、長手方向両側部に中央面より高い位置に保持部材設置面が形成され、該保持部材設置面上に前記外周突設部の底面が当接可能である２．又は３．に記載の結束具。
５．前記保持部材側からの平面視で、前記基台部材が前記保持部材より外方にはみ出した、拡張部位を有する１．乃至４．のうちのいずれか１項に記載の結束具。
６．基材を紐状部材で結束するための結束具であって、
長手方向両側部近傍に略垂直方向に貫通した紐状部材を挿通するための１対の貫通孔を備えた平板直方体形状の基台部材と、
前記基台部材と上下に対向し、中央が凹設され、外方に向かって反り上がり形成された外周突設部を備えた保持部材と、
前記基台部材と前記保持部材とを互いの中央で接続係止する係止部材と、
を備え、
前記基台部材と前記保持部材との側端部近傍は、外方に向かって次第に互いの離間隙間が拡大するように形成され、
前記基台部材は、前記保持部材側からの平面視で、中央から前記貫通孔側に向かって次第に窄まるように形成され、
前記基台部材上面は、長手方向両側部に、中央面より高い位置に保持部材設置面が形成され、該保持部材設置面上に前記外周突設部の底面が当接可能であり、
前記保持部材側からの平面視で、前記基台部材が前記保持部材より外方にはみ出した、拡張部位を有することを特徴とする結束具。
【発明の効果】
【０００８】
１．本発明の結束具は、紐状部材を挿通するための一対の貫通孔を有する基台部材と、基台部材と上下に対向した板状の保持部材と、基台部材と保持部材とを互いの中央で接続係止する係止部材とを備えるため、簡易な構造で、基材を紐状部材で、容易且つ確実に結束可能である。
すなわち、更に、結束作業、解束作業共に簡易迅速に行うことができるため、結果的に、紐状部材の消耗も軽減される。
また、基台部材と保持部材の側端部近傍から外方に向かって次第に互いの離間隙間が拡大するように形成されているため、紐状部材を挿入しやすく、より作業性に優れることになる。
更に、基台部材及び／又は保持部材の対向する側に、紐状部材が押入される凹部が形成されているため、その凹部に紐状部材が押圧されて、紐状部材同士、紐状部材と凹部同士が押圧し合うことになって強固に紐状部材が固定されることになる。
また、基台部材は、保持部材側からの平面視で、中央から貫通孔側に向かって次第に窄まるように形成されているため、軽量化を図ることができ、材料のムダを省くことができる。
２．保持部材の底面部は、中央が凹設された凹部を有し、外方に向かって反り上がり形成された外周突設部を備えている場合には、基台部材上面との接触面が少ないため滑動しやすいものとなる。
３．基台部材は、平板直方体形状であり、長手方向両端部近傍に略垂直方向に貫通した１対の前記貫通孔を備えている場合には、紐状部材を挿入しやすく、効率よく取着することができる。
４．前記基台部材上面は、長手方向両側部に、中央面より高い位置に保持部材設置面が形成され、該保持部材設置面上に前記外周突設部の底面が当接可能である場合には、より基台部材上面との接触面が減り、使用しやすいものとなる。更に、中央面が低いため、紐状部材が入り込みやすく、紐状部材を係止部材に捲回しやすくなる。
５．前記保持部材側からの平面視で、前記基台部材が前記保持部材より外方にはみ出した、拡張部位を有する場合には、紐状部材を係止部材に捲回するに際し、はみ出した拡張部位の上に紐状部材を安定的に滑らせて、保持部材と基台部材の隙間に押入することが可能である。
６．前記１．〜５．のすべての構成を備えている請求項６に記載の発明の場合には、前記１．〜５．のすべての効果を奏する。
【図面の簡単な説明】
【０００９】
【図１】実施例の結束具の上方からの斜視図である。
【図２】実施例の結束具の下方からの斜視図である。
【図３】（ａ）図１のＸ−Ｘ断面図である。（ｂ）図１のＹ−Ｙ断面図である。
【図４】図３（ａ）において紐状部材を取付けた状態を示す断面図である。
【図５】結束具の使用方法の例を示す斜視図である。
【発明を実施するための形態】
【００１０】
以下、図１〜５を参照しながら本発明を詳しく説明する。尚、本発明は、かかる図に記載された具体例に示すものに限られず、目的、用途に応じて種々変更したものとすることができる。
本発明の「結束具」は、基材を紐状部材で結束するための道具である。
前記「基材」とは、紐状部材を用いて結束するための種々のものが該当する。建築用資材としてのシート、ネット、テント、ペグなど、木材、トラックの荷台上の荷物、植木の枝、紐で結束する靴、荷造り用の資材、紐で結束する着物など、紐状部材で結束するための全ての被結束物が該当する。
【００１１】
前記「紐状部材」とは、基材を結束するための紐状の部材であり、かかる結束ができれば特に限定はなく、天然繊維や合成繊維などの繊維素材、プラスチック素材、又は金属素材などを糸状、紐状、帯状、ベルト状、ロープ状、チェーン状、ワイヤ状などにしたものである。これらの中でも、合成繊維素材を縒って束にした縒紐体であることが強度に優れるため好ましい。
【００１２】
前記「基台部材」とは、紐状部材を挿通するための貫通孔を有する部材であり、後述の保持部材と上下で対向する。基台部材において左右略対称に一対の貫通孔を有する。形状は特に限定はなく、角板状、円板状、楕円板状、直方体状、球状、半球状などとすることができ、またこれらの変形とすることもできる。材質も特に限定はなく、金属製、木製、プラスチック製であってもよい。これらのうち、プラスチック製であることが好ましい。
【００１３】
前記「保持部材」とは、基台部材と上下に対向した部材である。形状は特に限定はなく、角板状、円板状、楕円板状又はこれらの変形であってもよい。また、厚肉に形成されていてもよく、部分的に厚肉であってもよい。材質も特に限定はなく、金属製、木製、プラスチック製であってもよい。これらのうち、プラスチック製であることが好ましく、弾性変形可能なプラスチック製であることが更に好ましい。
そして、保持部材及び／又は基台部材の表面に蛍光剤を塗布しておくことができる。こうすることで、夜間においても目立ち、作業性、安全性を更に高めることができる。
【００１４】
前記「係止部材」とは、基台部材と保持部材とを互いの中央で接続係止する部材である。係止部材は、基台部材と、保持部材を接続係止できれば特に限定はなく、リベット、ボルトナット、係止紐、割りピンなどの部材を用いることができる。これらの中でも、割ピンであることが好ましい。割ピンであれば、取り扱い易く、容易に係止することができる。
【００１５】
本発明の実施形態に係る結束具１は、図５に示すように、例えば、基材としてのテント８０と基材としてのペグ９０を紐状部材４０で結束するために用いることができる。
結束具１は、図３及び図４に示すように、紐状部材４０を挿通するための一対の貫通孔２５を有する基台部材２０と、基台部材２０と上下に対向した保持部材１０と、基台部材２０と保持部材１０とを互いの中央で接続係止する係止部材３０と、を備えている。
【００１６】
基台部材２０は、図１及び図２に示すように、平板直方体形状であり、長手方向両端部近傍に略垂直方向に貫通した１対の貫通孔２５、２５を備えている。
基台部材２０の中央部には、図３に示すように割りピン３０を挿着するための係止孔２０ｈが設けられている。
基台部材２０の上面は、図３（ｂ）に示すように、長手方向両側部が中央面２０ｂより高い位置に保持部材設置面２０ａが形成され、中央面２０ｂが低く形成されている。このため、紐状部材４０が入り込みやすく、紐状部材４０を係止部材３０に捲回しやすくなる。この低く形成された部分が凹部である。
【００１７】
基台部材２０の底面は、両側底面２０ｄと両側底面に囲まれた段差底面２０ｃとからなる。そして、この段差部に、係止ピン３０の折り曲げ部と、紐状部材４０が装入される。また、長手方向端部には、紐状部材４０を確実に係止するための切欠き２２が設けられている。
また、基台部材２０は、図２に示すように保持部材１０側からの平面視で、中央から貫通孔２５側に向かって次第に窄まるように形成されているため、軽量化を図ることができ、材料のムダを省くことができる。
【００１８】
保持部材１０は、図１に示すように、基台部材２０と上下に対向して円板状に形成されている。
そして、図３に示すように、中央部には、係止ピン３０を挿着するための係止孔１０ｈが設けられている。
【００１９】
保持部材１０の底面部は、中央が凹設された凹部を有し、外方に向かって反り上がり形成された外周突設部１０ａを備えている。
そのため、基台部材２０と保持部材１０との側端部近傍は、外方に向かって次第に離間隙間が拡大するように形成されている。
このため、紐状部材４０を挿入しやすく、より作業性に優れることになる。
すなわち、保持部材１０には、凹部１５が形成されており、図４に示すように、紐状部材４０が押圧されて、紐状部材４０同士、紐状部材４０と凹部１５同士が押圧し合うことになって強固に紐状部材４０が固定されることになる。また、図３（ｂ）に示すように、基台部材２０には、凹部２６が形成されており、同様の効果が得られる。
【００２０】
ここで、図１に示すように、保持部材１０側からの平面視で、基台部材２０が保持部材１０より外方にはみ出した、拡張部位２８を有するため、紐状部材を係止部材３０に捲回するに際し、拡張部位２８の上に紐状部材４０を安定的に滑らせて、保持部材１０と基台部材２０の隙間に押入することが可能である。
【００２１】
係止部材としての割りピン３０は、基台部材１０と、保持部材２０とを互いの中央で接続係止する部材である。そして、図４に示すように、紐状部材４０を巻きつける軸としての役割を果たす。
割りピン３０は、図３に示すように、保持部材１０の係止孔１０ｈ、基台部材２０の係止孔２０ｈに挿通して、基台部材２０の底面で分割して折り曲げ、基台部材２０と、保持部材１０とを係止する。この場合、図３に示すように、割りピン３０の首部が、保持部材１０の上面に当接している場合において、折り曲げ部が、段差平面２０ｃから突出する遊びを設けておくこと好ましい。こうすることで、図４に示すように、外周突設部１０ａと保持部材載置面２０ａとの間を紐状部材４０が通過しやすくなる。
【００２２】
紐状部材４０は、特に限定はないが、やや扁平な合成樹脂製の縒紐体であることが好ましい。合成樹脂製の縒紐体であれば、強度に優れると共に、取り扱いやすい。そして、結束具１に取着する際には、割ピン３０に巻き付けられて、前述の保持部材１０の凹部１５の内面と基台部材２０の上面とで押圧固定される。
【００２３】
（使用方法）
結束具１の使用方法について、図４及び図５を用いて、テント８０をペグ９０に固定する例を説明する。
テント８０のハトメ（不図示）に取着した紐状部材４０のテント側紐状部材４０ａを基台部材２０の貫通孔２５ａに挿通し、更に貫通孔２５ｂに挿通して一巻きしてペグ９０に引っ掛ける。そして、引っ掛けた後の紐状部材４０ｂを保持部材１０の凹部１５の割りピン３０に捲回する。捲回後の紐状部材４０ｃを引っ張ることでテント８０を、ペグ９０に確実に固定することができる。
【符号の説明】
【００２４】
１；結束具、１０；保持部材、１０ａ；外周突設部、１５、２６；凹部、２０；基台部材、２０ａ；保持部材設置面、２０ｂ；中央面、２５；貫通孔、２８；
拡張部位、３０；係止部材、４０；紐状部材、８０；基材（テント）、９０；基材（ペグ）
【図１】
2018039520.tif 000003
【図２】
2018039520.tif 000004
【図３】
2018039520.tif 000005
【図４】
2018039520.tif 000006
【図５】
2018039520.tif 000007